(57)【要約】【課題】感度が良く、アタリがわかりやすい釣り用浮きを提供する。【解決手段】本願発明の浮きは海水より比重の小さい部材２と比重の大きい部材４を組み合わせることにより通常は特定の面が上になるようにし、釣り糸１２を下に引っ張る力１７がかかる場所を海水の比重より軽い部材２だけの重心８より鉛直方向下側に設け、上面４と下面９に異なる色４ａ、９ａを付け、釣り糸１２を下に引っ張る力１７がかかる場所から浮きの下端部１ａまでの寸法が釣り糸１２を下に引っ張る力１７がかかる場所から浮きの上端部１ｂまでの寸法より長くし、魚２６が釣り糸１２を動的に引くと浮きが沈む時にかかる水の抵抗により浮きが反転２１し、従来見えていた上面４の色４ａ下面９の色９ａに変わる。【選択図】  図５
2004313147.tif 000002
【特許請求の範囲】
【請求項１】
海水の比重に対して軽い部材と重い部材を組み合わせて作られた主に海の魚釣りに用いられる浮きであって、釣り糸との接続部が海水の比重より軽い部材だけの重心より鉛直方向下側にあり、釣り糸との接続部から浮きの下端までの寸法が釣り糸との接続部から浮きの上端までの寸法より長く、浮きの上面と下面に異なる色を付けたことを特徴とする魚釣り用浮き。
【請求項２】
請求項１において、釣り糸の接続部を有する接続腕が請求項１の釣り糸との接続部の位置に回転自在に取り付けられ、接続腕の回転中心から釣り糸の接続部までの寸法が、前記回転中心から浮きの下端部までの寸法より長いことを特徴とする魚釣り用浮き。
【発明の詳細な説明】
【０００１】
【発明の属する技術分野】
本発明は、主に海の魚釣りをする際に用いられる浮きの改良に関する。
【０００２】
【従来の技術】
浮きの上面に釣り糸との接続部を設け、釣り糸を下に引く力を与えた場合、水面上の浮きが反転することによって、魚のあたりを知る方法は特許公開平９−２７５８６６により知られている。
【０００３】
しかし、この方法は釣り糸に付けた重りにより、釣り糸が浮きの上面を引っ張る形になるため、大きな重りを付けると浮きが回転したり横を向いたりしてしまう。
又、重りを付けても浮きが回転したり横を向いたりしない様にするためには浮きの残留浮力を大きくする必要があり、浮きの感度が悪くなる。
【０００４】
【発明が解決しようとする課題】
本発明の課題は、感度が良くあたりがわかりやすい浮きを供給することにある。
【０００５】
【課題を解決するための手段】
本願の請求項１に記載の浮きは上記の課題を解決するために、釣り糸との接続部を海水の比重より軽い部材だけの重心より鉛直方向下側に設け、釣り糸との接続部から浮きの下端までの寸法が、釣り糸との接続部から浮きの上端までの寸法より長く、浮きの上面と下面に異なる色を付けたことを特徴とする。
【０００６】
請求項１に記載の発明によれば、釣り糸との接続部は海水の比重より軽い部材だけの重心より鉛直方向下側にあるので、釣り糸に重りを付けても浮きが回転したり横を向いたりすることがない。そのため残留浮力を大きくする必要がなく、浮きの感度を良くすることができる。魚が餌をくわえて動的に釣り糸を引っ張った場合、釣り糸の動きが速くなるため、水の抵抗により浮きの上下が反転するので、釣り人から見える浮きの色が変化することにより魚のあたりを知ることができる。
この時、浮きが反転するのに必要な浮きの移動量はわずかであり、その抵抗も小さいので、魚にはわかりにくく、釣り人は早期に魚のあたりに対し反応することができる。
又、重りを浮きの残留浮力より大きくしても、浮きはそのままの姿勢でゆっくり沈むため、浮きを沈めながら釣る方法でも同様の効果が得られる。
【０００７】
請求項２に記載の浮きは、請求項１の浮きに対し釣り糸との接続部を有する接続体が請求項１の釣り糸との接続部の位置に回転自在に取り付けられ、接続腕の回転中心から釣り糸の接続部までの寸法が、前記回転中心から浮きの下端部までの寸法より長いことを特徴とする。
【０００８】
請求項２に記載の発明によれば、釣り糸に取り付けられた重りにより釣り糸との接続部を浮きの下端部より下にもってくることができるので、浮きが釣り糸と干渉することなく、安定した姿勢を保つことができる。
【０００９】
【発明の実施の形態】
以下に本発明に係わる浮きの一例を図１〜６を参照しつつ説明する。
図１は本発明の請求項１に係わる浮きの一例を示す外観図であって、図２はその断面図、図３は請求項２の実施例を示す外観図であって、図４はその断面図である。図５は本発明の請求項１に係わる浮きを使った釣りの仕掛けの一例を示し、（ａ）は魚のあたりが出ていない状態を示し、（ｂ）は魚のあたりが出た状態を示す。図６は本発明の請求項２に係わる浮きを使った釣りの仕掛けの一例を示し、（ａ）は魚の当たりが出ていない状態を示し、（ｂ）は魚の当たりが出た状態を示す。
【００１０】
図１において、符号１は請求項１に係わる釣り用浮きを示す。この釣り用浮き１は海水より比重の小さい部材２が充填されている上層部３と海水より比重の大きい部材４が充填されている下層部５と上層部３と下層部５を接続する接続子６により構成されている。
【００１１】
接続子６には釣り糸１２を接続するための挿通リング７を設けている。挿通リング７は海水より比重の小さい部材２の重心８に対し、鉛直方向下側に配置されている。
【００１２】
挿通リング７から浮き１の下端部１ａまでの寸法２４は挿通リング７から浮き１の上端部１ｂまでの寸法２５より長くしてある。
【００１３】
上層部３の上面９には視認性の良い色９ａを配置し、下層部５の下面１０には視認性が良く、上層部３の上面９とは異なる色１０ａを配置する。上層部３の上面９及び下層部５の下面１０以外の面１１には上面９の色９ａ及び下面１０の色１０ａと異なる明度及び彩度の低い色１１ａを配置する。上層部３及び下層部５の外周は透明な保護膜２３で覆われている。
【００１４】
釣り糸１２に浮き１を付けて使用した場合、釣り糸１２・釣り針１３・重り１４・釣り餌１５・浮き止め１６等の負荷により、浮き１に対し下方向に引っ張る力１７が発生する。
【００１５】
浮き１を下方向に引っ張る力１７は浮き止め１６により挿通リング１７にかかるが、挿通リング１７は海水より比重の小さい部材２の重心８に対し鉛直方向下側にあるので、重り１４を重くして浮き１を下側に引っ張る力１７を大きくしても浮き１が回転したり横を向いたりすることがなく、重り１４が浮き１の残留浮力より大きくなってもそのままの姿勢で沈むので、浮き１の残留浮力を大きくする必要がなく、浮き１の感度を上げることができる。
【００１６】
魚２６が釣り針１３にかかり釣り糸１２を動的に引くと浮き１が沈む時にかかる水の抵抗により浮き１の上下が反転２７する。これにより、従来見えていた上面の色９ａが下面の色１０ａに変わるので、魚２６のあたりを容易に知ることができる。
【００１７】
図３において、符号１８は請求項２に係わる釣り用浮きを示す。この釣り用浮き１８は海水より比重の小さい部材２が充填されている上層部３と、海水よりやや比重の大きい部材１９が充填されている中層部２０と、海水より比重の大きい部材４が充填されている下層部５からなる浮き本体２９と、浮き本体２９に回転自在に取り付けられた釣り糸１２との接続部を有する接続腕２１により構成されている。
【００１８】
接続腕２１の回転中心２２は海水より比重の小さい部材２の重心８に対し鉛直方向下側に位置する。接続腕２１の端部には釣り糸１２と接続するための挿通リング７を設ける。
【００１９】
接続腕２１の回転中心２２から浮き１８の下端部１８ａまでの寸法３０は接続腕２１の回転中心２２から浮き１８の上端部１８ｂまでの寸法３１より長くしてある。
【００２０】
上層部３の上面９には視認性の良い色９ａを配置し、下層部５の下面１０には視認性が良く、上層部３の上面９とは異なる色１０ａを配置する。上層部３の上面９及び下層部５の下面１０以外の面１１には上面９の色９ａ及び下面１０の色１０ａと異なる明度及び彩度の低い色１１ａを配置する。浮き１８の接続腕２１以外の外周は透明な保護膜２３で覆われている。
【００２１】
接続腕２１の先端には釣り糸１２と接続するための挿通リング７を設ける。接続腕２１の回転中心２２から挿通リング７までの寸法２８は接続腕２１の回転中心２２から浮き１８の下端部１８ａまでの寸法３０より長くしてある。
【００２２】
釣り糸１２に浮き１８を付けて使用した場合、釣り糸１２・釣り針１３・重り１４・釣り餌１５・浮き止め１６等の負荷により、浮き１８に対し下方向に引っ張る力１７が発生し、接続腕２１が下方向に回転する。接続腕２１が下方向に回転することにより、挿通リング７が一番下側にくるので釣り糸１２が浮き１８と干渉することがなく、浮き１８の姿勢が安定する。
【００２３】
浮き１８を下方向に引っ張る力１７は海水より比重の小さい部材２の重心８より鉛直方向下側にある接続腕２１の回転中心２２にかかるため、重り１４を重くして下方向に引っ張る力１７を大きくしても浮き本体２９が回転したり横を向いたりすることがなく、重り１４が浮き１８の残留浮力よりも大きくなってもそのままの姿勢で沈むので、浮き１８の残留浮力を大きくする必要がなく、浮き１８の感度を上げることができる。
【００２４】
魚２６が釣り針１３にかかり、釣り糸１２を動的に引くと、浮き１８が沈む時にかかる水の抵抗により浮き本体３０の上下が反転２７する。これにより、従来見えていた上面の色９ａが下面の色１０ａに変わるので、魚のあたりを知ることができる。
【００２５】
【発明の効果】
本発明の釣り用浮きによれば、感度がよく、あたりを見やすくすることができる。
【図面の簡単な説明】
【図１】本発明の請求項１に係わる釣り用浮きの一例を示す外観図である。
【図２】図１に示す釣り用浮きの断面図である。
【図３】本発明の請求項２に係わる釣り用浮きの一例を示す外観図である。
【図４】図３に示す釣り用浮きの断面図である。
【図５】本発明の請求項１に係わる釣り用浮きを使った仕掛けの一例を示す図であって、（ａ）は魚のあたりが出ていない状態を示し、（ｂ）は魚のあたりが出た状態を示した図である。
【図６】本発明の請求項２に係わる釣り用浮きを使った仕掛けの一例を示す図であって、（ａ）は魚のあたりが出ていない状態を示し、（ｂ）は魚のあたりが出た状態を示した図である。
【符号の説明】
１      請求項１に係わる釣り用浮き
１ａ    浮き下端部
１ｂ    浮き上端部
２・４  内部部材
３      浮き上層部
５      浮き下層部
６      接続子
７      挿通リング
８      海水より比重の小さい部材の重心
９      上層部３の上面
９ａ    上層部上面の色
１０    下層部５の下面
１０ａ  下層部下面の色
１１    上層部上面及び下層部下面以外の面
１１ａ  上層部上面及び下層部下面以外の面の色
１２    釣り糸
１３    釣り針
１４    重り
１５    釣り餌
１６    浮き止め
１７    浮きをした方向に引っ張る力
１８    請求項２に係わる釣り用浮き
１８ａ  浮き下端部
１８ｂ  浮き上端部
１９    内部部材
２０    中層部
２１    接続腕
２２    接続腕の回転中心
２３    保護膜
２４    挿通リングから浮きの下端部までの寸法
２５    挿通リングから浮きの上端部までの寸法
２６    魚
２７    浮きの反転
２８    接続腕の回転中心から挿通リングまでの寸法
２９    浮き本体
３０    接続腕の回転中心から浮きの下端部までの寸法
３１    接続腕の回転中心から浮きの上端部までの寸法
【図１】
2004313147.tif 000003
【図２】
2004313147.tif 000004
【図３】
2004313147.tif 000005
【図４】
2004313147.tif 000006
【図５】
2004313147.tif 000007
【図６】
2004313147.tif 000008